(57)【要約】【課題】  ファスナーを開くことで、収納空間を膨出でき、背負い袋を収納でき、雨等から確実に守れ、ファスナーを閉じることで、収納空間が膨出しない綺麗な状態を確実に維持でき、外観上の体裁が良く、取扱いが簡単に行え、構成簡素で、耐久性に優れ、量産し易く、経済的な収納構造を提供する。【解決手段】  レインウエア１の後身頃２に、背負い袋１０より大きな略逆Ｕ字状の開口部を形成し、開口部の開口縁部分に、略幅広帯状の襠片３の基端がわ端縁部分を連設し、後身頃２の開口部に略合致する身頃中央片２ａを襠片３の先端がわ端縁部分に連設し、身頃中央片２ａの周縁部分と、開口部の裏がわ周辺部分とに、ファスナー５の一対のエレメント７を配設し、ファスナー５の開閉操作によって、レインウエア１の背部に背負い袋１０の収納空間が自在に設けられるよう構成する。【選択図】図１
0003107909.tif 000002
【実用新案登録請求の範囲】
【請求項１】
パーカ、ヤッケ、レインコート、レインスーツの上着等のレインウエアに於いて、デイパック、リュックサック、ナップザック等の背負い袋を雨等から守るための膨出状の収納空間が、必要に応じてその背部に設けられるように構成したもので、レインウエアの後身頃に、背負い袋より大きな略逆Ｕ字状の開口部を形成し、この開口部の開口縁部分に、略幅広帯状の襠片の基端がわ端縁部分を連設し、後身頃の開口部に略合致するような身頃中央片を襠片の先端がわ端縁部分に連設し、身頃中央片の周縁部分と、開口部の裏がわ周辺部分とに、ファスナーの一対のエレメントを配設し、ファスナーの開閉操作によって、レインウエアの背部に背負い袋の収納空間が自在に設けられるよう構成したことを特徴とするレインウエアに於ける背負い袋の収納構造。
【請求項２】
レインウエアの後身頃の開口部の開口縁部分に、略細長帯状の覆い部を連設し、閉じた状態のファスナーが、覆い部の裏がわに隠れるように構成したことを特徴とする請求項１記載のレインウエアに於ける背負い袋の収納構造。
【考案の詳細な説明】
【技術分野】
【０００１】
本考案は、例えば、パーカ、ヤッケ、レインコート、レインスーツの上着等の適宜レインウエアに於いて、デイパック、リュックサック、ナップザック等の適宜背負い袋を雨等から守るための膨出状の収納空間が、必要に応じてその背部に簡単に設けられるように工夫したレインウエアに於ける背負い袋の収納構造に関するものである。
【背景技術】
【０００２】
従来、この種のレインウエアに於ける背負い袋の収納構造を採用したものとしては、例えば、特許文献１に示すようなデイバッグ対応雨合羽が開示されている。
これは、雨合羽の背面部分にデイバッグを収納できる空間を設けたものであって、デイバッグ用空間は、略ボックス状を呈し、その上隅部分に面着テープを設けてあり、デイバッグを背負ったまま雨合羽の上着を着て、ファスナーを締めると同時にデイバッグがデイバッグ用空間の縮小している所を押し、面着テープが外れてデイバック用空間が拡大して、デイバッグの収納が可能となり、一方、デイバッグを背負わないときは、デイバッグ用空間は縮小させて、端にある面着テーブで止められるようにしたものである。
【０００３】
【特許文献１】特開平１１−２００１１６号
【考案の開示】
【考案が解決しようとする課題】
【０００４】
ところが、前述の如きデイバッグ対応雨合羽にあっては、デイバッグを背負わないときに、デイバッグ用空間を縮小させて、端にある面着テーブで止めたときの外観上の体裁が悪い難点や、不意の外力等によって面着テーブで止めた状態が簡単に解除される虞があり、デイバック用空間を綺麗な縮小状態に維持し難い難点等があった。
【課題を解決するための手段】
【０００５】
そこで、本考案は、前述の如き課題を達成できるようにするのは勿論のこと、背負い袋を雨等から確実に守れ、取扱い易く、外観上の体裁に優れ、構成が簡素で、耐久性に優れ、量産し易く、経済的なレインウエアに於ける背負い袋の収納構造を提供すべく案出されたものである。
【０００６】
しかして、請求項１記載の収納構造にあっては、パーカ、ヤッケ、レインコート、レインスーツの上着等のレインウエア１に於いて、デイパック、リュックサック、ナップザック等の背負い袋１０を雨等から守るための膨出状の収納空間が、必要に応じてその背部に設けられるように構成したもので、レインウエア１の後身頃２に、背負い袋１０より大きな略逆Ｕ字状の開口部を形成し、この開口部の開口縁部分に、略幅広帯状の襠片３の基端がわ端縁部分を連設し、後身頃２の開口部に略合致するような身頃中央片２ａを襠片３の先端がわ端縁部分に連設し、身頃中央片２ａの周縁部分と、開口部の裏がわ周辺部分とに、ファスナー５の一対のエレメント７を配設し、ファスナー５の開閉操作によって、レインウエア１の背部に背負い袋１０の収納空間が自在に設けられるよう構成する手段を採用した。
【０００７】
また、請求項２記載の収納構造にあっては、レインウエア１の後身頃２の開口部の開口縁部分に、略細長帯状の覆い部４を連設し、閉じた状態のファスナー５が、覆い部４の裏がわに隠れるように構成する手段を採用した。
【考案の効果】
【０００８】
従って、請求項１記載の収納構造によれば、ファスナー５を開くことで、背負い袋１０の収納空間を膨出せしめられるようになり、この収納空間に余裕を持って背負い袋１０を収納できるようになると共に、背負い袋１０を雨等から確実に守れるようになる。一方、ファスナー５を閉じることで、背負い袋１０の収納空間が無くなり、外観上の体裁の良いレインウエア１となる。更に、ファスナー５の開閉操作だけで、収納空間を自在に設けられるようになり、その取扱いが誰でも簡単に行えるものとなる。しかも、構成が簡素で、量産し易く、経済的なレインウエアに於ける背負い袋１０の収納構造となる。
【０００９】
加えて、身頃中央片２ａの周縁部分と、開口部の裏がわ周辺部分とに、ファスナー５の一対のエレメント７を配設したので、不意の外力等によって、ファスナー５の一対のエレメント７が分離するような虞が全く無く、極めて耐久性に優れたものとなる。すなわち、収納空間が膨出しない綺麗な状態を確実に維持できるようになる。
【００１０】
また、請求項２記載の収納構造によれば、ファスナー５を閉じて、収納空間を膨出させない場合（背負い袋１０を収納しない場合）に、覆い部４によって閉じた状態のファスナー５を確実に隠すことができるようになり、より外観上の体裁が優れたものとなる。
【考案を実施するための最良の形態】
【００１１】
以下、本考案を図示例に基づいて説明すると、次の通りである。
本考案は、例えば、パーカや、ヤッケや、レインコートや、レインスーツの上着等の適宜レインウエア１に於いて、必要に応じて外方に膨出自在となる収納空間を背部に設けることにより、例えば、デイパックや、リュックサックや、ナップザック等（ランドセルも含む）の適宜背負い袋１０を背負ったままレインウエア１を着ることができて、背負い袋１０を雨や雪等から確実に守れるようにしたレインウエア１に於ける背負い袋１０の収納構造である。
【００１２】
そして、この収納構造は、適宜レインウエア１の後身頃２の下端から上部にかけて、背負い袋１０より大きな略逆Ｕ字状の開口部を形成する。次に、背負い袋１０の厚みより幅広な略帯状の襠片３を形成し、この襠片３の基端がわ端縁部分を、前記開口部の開口縁部分に連設（縫着）する。そして、後身頃２の開口部に略合致するような略舌片状の身頃中央片２ａを形成し、この身頃中央片２ａの下端縁を除く周縁部分を襠片３の先端がわ端縁部分に連設（縫着）する。それから、身頃中央片２ａの下端縁を除く周縁部分と、開口部の裏がわ周辺部分とに、ファスナー５の一対のエレメント７を配設し、ファスナー５の開閉操作によって、レインウエア１の背部に背負い袋１０の収納空間が自在に設けられるようして構成されている。
【００１３】
更に、レインウエア１の後身頃２の開口部の開口縁部分には、略細長帯状の覆い部４が連設（縫着）され、閉じた状態のファスナー５が、覆い部４の裏がわに隠れるように構成されている。すなわち、ファスナー５を閉じて、収納空間を膨出させない場合（背負い袋１０を収納しない場合）に、覆い部４によって閉じた状態のファスナー５を隠して、外観上の体裁が良くなるように形成されている。
【実施例】
【００１４】
前記レインウエア１は、例えば、比較的丈が長い上着状で、防水性の優れた素材によって構成され、雨等を透過させないように形成されている。尚、フード部分は、衿部に収納できるように形成したものであっても良いし、或いは、着脱自在に形成したものであっても良い。また、レインウエア１の具体的な構成、形状、寸法、材質等は、図示例のものに限定されることなく、適宜自由に設定、変更できるものである。
【００１５】
また、レインウエア１の後身頃２の中央部分に形成される開口部は、後身頃２の左右下端から上部に向って略逆Ｕ字状に形成されており、収納される背負い袋１０の幅や長さより大きく形成されると共に、その角部が比較的大きな円弧状となるように形成されている。尚、開口部の具体的な構成、形状、寸法、配設位置等は、図示例のものに限定されることなく、適宜自由に設定、変更できるものである。
【００１６】
前記身頃中央片２ａは、前記開口部と略同一の形状、寸法に形成され、しかも、防水性の優れた素材によって構成され、雨等を透過させないように形成されている。尚、身頃中央片２ａの具体的な構成、形状、寸法、材質、配設位置等は、図示例のものに限定されることなく、適宜自由に設定、変更できるものである。
【００１７】
前記襠片３は、前記開口部に沿うような長さで、背負い袋１０の厚み以上となるような幅に形成され、しかも、防水性の優れた素材によって構成され、雨等を透過させないように形成されている。また、襠片３は、収納空間を膨出させない場合（背負い袋１０を収納しない場合）に、適宜折畳み状態となるため、皺になり難く、且つファスナー５で挟まれ難いものが良い。尚、襠片３とレインウエア１の開口部周縁部分との連設手段、及び襠片３と身頃中央片２ａとの連設手段は、縫着手段でも良いし、接着手段でも良いし、溶着手段でも良いし、その他適宜自由に設定、変更できるものである。更に、襠片３の具体的な構成、形状、寸法、材質等は、図示例のものに限定されることなく、適宜自由に設定、変更できるものである。
【００１８】
前記覆い部４は、前記開口部の周縁に沿うような長さで、ファスナー５を覆えるような幅に形成され、しかも、防水性の優れた素材によって構成され、雨等を透過させないように形成されている。尚、覆い部４と開口部の開口縁部分との連設手段は、縫着手段でも良いし、接着手段でも良いし、溶着手段でも良いし、或いは、レインウエア１の後身頃２部分を延長させたように構成したものでも良いし、その他適宜自由に設定、変更できるものである。更に、覆い部４の具体的な構成、形状、寸法、材質等は、図示例のものに限定されることなく、適宜自由に設定、変更できるものである。
【００１９】
前記ファスナー５は、一対のエレメント７と、この一対のエレメント７が夫々固定されている一対のテープ８と、一対のエレメント７を分離結合可能なスライダー６とを備えた一般的なものが利用され、開口部の裏がわ周辺部分には、一方のエレメント７がテープ８を介して配設され、身頃中央片２ａの周縁部分には、他方のエレメント７がテープ８を介して配設されており、スライダー６の移動によって一対のエレメント７を分離結合し、分離したときに身頃中央片２ａと襠片３とで構成される収納空間が膨出できるように構成されている。尚、ファスナー５の具体的な構成、形状、寸法、材質、スライダー６の具体的構成、形状、材質、配設位置、数、エレメント７の具体的な構成、形状、寸法、材質、テープ８の具体的な構成、形状、寸法、材質等は、図示例のものに限定されることなく、適宜自由に設定、変更できるものである。
【図面の簡単な説明】
【００２０】
【図１】本考案を例示する斜視図である。
【図２】本考案を例示する一部切欠背面図である。
【図３】本考案を例示する縦断側面図である。
【符号の説明】
【００２１】
１    レインウエア
２    後身頃
２ａ  身頃中央片
３    襠片
４    覆い部
５    ファスナー
６    スライダー
７    エレメント
８    テープ
１０  背負い袋
【図１】
0003107909.tif 000003
【図２】
0003107909.tif 000004
【図３】
0003107909.tif 000005